(57)【要約】【課題】機枠を島設備に容易に固定することができるパチンコ機を提供する。【解決手段】本発明のパチンコ機Ｐでは、幕板１６が機枠１に対して上下方向へスライド可能に凹凸嵌合されており、機枠１を島設備に固定する際に、本体枠２とのヒンジ結合を解除した状態で幕板１６を機枠１の上方へスライド移動すると、機枠１の底板１ｂと幕板１６との間に広い作業空間Ｓが確保されるため、この作業空間Ｓを利用して機枠１の姿勢調整や釘打ち作業を容易に行うことができるようになっている。【選択図】図５
2013103015.tif 000002
【特許請求の範囲】
【請求項１】
遊技場の島設備に固定される外殻方形状の機枠と、この機枠の下部領域を覆うように配置された幕板と、前記機枠と前記幕板に開閉可能に軸支された本体枠と、この本体枠に開閉可能に軸支された前面扉とを備え、前記本体枠が前記機枠と前記幕板に対して着脱可能となっているパチンコ機において、
前記機枠の両内側部と前記幕板の両外側部とを凹凸嵌合し、前記本体枠が前記機枠と前記幕板に対して取り外された状態にあるとき、前記凹凸嵌合によって前記幕板を前記機枠に対して上下方向へスライド可能としたことを特徴とするパチンコ機。
【発明の詳細な説明】
【技術分野】
【０００１】
本発明は、遊技盤を目視可能な前面扉が本体枠に対して開閉可能に支持されていると共に、この本体枠が機枠に対して開閉可能に支持されているパチンコ機に係り、特に、機枠の下部領域を覆うように配置された幕板の改良に関するものである。
【背景技術】
【０００２】
一般的にパチンコ機は、遊技場の島設備に設置される縦長方形状の機枠（外枠）と、この機枠にヒンジ機構を介して扉状に開閉可能に取り付けられた本体枠と、この本体枠の内側に収容された遊技盤と、本体枠の前面に別のヒンジ機構を介して開閉可能に取り付けられた前面扉とを備えており、前面扉の中央部に形成された開口部には遊技盤を目視可能な透明板が取り付けられている。本体枠の背面側には、電装部品の一つである液晶表示装置が取り付けられる他、それ以外の電装部品として遊技に関する制御を行う制御処理装置（制御基板）や、賞球払出装置による賞球の払い出しを制御する払出基板、各部に電力を供給する電源基板等が取り付けられている。また、機枠の下端部には横長形状の幕板が一体化されており、本体枠は機枠と幕板の各上端部に設けられた軸受け体をヒンジ機構として開閉動作される。したがって、本体枠と前面扉が機枠に対して閉鎖状態にあるとき、幕板は本体枠と前面扉の下側に位置して前方へ露出しており、幕板は本体枠を支持する支持板の他に化粧板としても機能している。
【０００３】
従来、このように概略構成されたパチンコ機を遊技場の島設備に設置する場合、総重量の大きな前面扉と本体枠を機枠から取り外した状態で、機枠を適正な姿勢に調整して島設備に固定した後、本体枠の上下両端部を機枠と幕板の各軸受け体にヒンジ結合することにより、本体枠と前面扉を機枠に取り付けるようにしていた（例えば、特許文献１参照）。その際、作業者は島通路に立って機枠の左右方向の傾きが水平になるように水平調整を行い、さらに機枠の前後方向の傾きが所定の後傾角度になるように傾斜調整を行った後、幕板の後方位置に延在する機枠の底部をハンマで釘打ちして島設備に固定していた。
【先行技術文献】
【特許文献】
【０００４】
【特許文献１】特開２００４−３２９４５３号公報
【発明の概要】
【発明が解決しようとする課題】
【０００５】
しかしながら、特許文献１に開示された従来のパチンコ機においては、機枠を島設備に固定する際に、作業者は幕板で仕切られた後方空間内で釘打ち作業をする必要があるため、ハンマを振り下ろすときに幕板が邪魔になってしまい、幕板や周囲の構成部材（例えばアウトタンク等）を誤って破損してしまう虞があった。また、幕板の後方の狭い空間に水準器を配置して水平調整や傾斜調整等を行う必要があるため、これら調整作業時にも幕板が邪魔になって作業性を低下させていた。
【０００６】
本発明は、このような従来技術の実情に鑑みてなされたもので、その目的は、機枠を島設備に容易に固定することができるパチンコ機を提供することにある。
【課題を解決するための手段】
【０００７】
上記の目的を達成するために、本発明は、遊技場の島設備に固定される外殻方形状の機枠と、この機枠の下部領域を覆うように配置された幕板と、前記機枠と前記幕板に開閉可能に軸支された本体枠と、この本体枠に開閉可能に軸支された前面扉とを備え、前記本体枠が前記機枠と前記幕板に対して着脱可能となっているパチンコ機において、前記機枠の両内側部と前記幕板の両外側部とを凹凸嵌合し、前記本体枠が前記機枠と前記幕板に対して取り外された状態にあるとき、前記凹凸嵌合によって前記幕板を前記機枠に対して上下方向へスライド可能とした。
【０００８】
このように構成されたパチンコ機では、機枠を島設備に固定する場合、本体枠とのヒンジ結合を解除した状態で幕板を機枠の上方へスライド移動すると、機枠の底部と幕板との間に広い作業空間が確保されるため、この広い作業空間を利用して機枠の姿勢調整や釘打ち作業を容易に行うことができる。そして、かかる作業の終了後に幕板を下方へスライド移動して機枠の下端側に戻し、本体枠を機枠と幕板に対してヒンジ結合すれば、本体枠を機枠と幕板との間に開閉可能に軸支することができる。
【発明の効果】
【０００９】
本発明のパチンコ機は、幕板が機枠に対して上下方向へスライド可能に凹凸嵌合されており、機枠を島設備に固定する際に、本体枠とのヒンジ結合を解除した状態で幕板を機枠の上方へスライド移動すると、機枠の底部と幕板との間に広い作業空間が確保されるため、この広い作業空間を利用して機枠の姿勢調整や釘打ち作業を容易に行うことができる。
【図面の簡単な説明】
【００１０】
【図１】本発明の第１実施形態例に係るパチンコ機の斜視図である。
【図２】図１に示すパチンコ機の前面扉と本体枠を開放した状態の斜視図である。
【図３】図１のパチンコ機に備えられる幕板の斜視図である。
【図４】図２のＡ部詳細図である。
【図５】図３の幕板を機枠の上方へ移動した状態を示す斜視図である。
【図６】本発明の第２実施形態例に係るパチンコ機の要部を示す正面図である。
【図７】図６のパチンコ機に備えられる幕板を機枠の上方へ移動した状態を示す正面図である。
【発明を実施するための形態】
【００１１】
発明の実施の形態について図面を参照して説明すると、図１と図２に示すように、本発明の第１実施形態例に係るパチンコ機Ｐは、遊技場の島設備に設置される外殻方形状の機枠１と、機枠１に扉状に開閉自在に取り付けられた本体枠２と、本体枠２の前面に扉状に開閉自在に取り付けられた前面扉３等を備えており、前面扉３にはガラスやプラスチック等からなる透明板４が取り付けられている。
【００１２】
本体枠２の上部内側には遊技盤５が収納されており、この遊技盤５の盤面（前面）は透明板４を透して目視可能となっている。図示省略されているが、遊技盤５はガイドレール等によって区画形成された遊技領域を有しており、この遊技領域に可変表示装置や始動入賞口、一般入賞口、アタッカー装置、遊技釘、風車、アウト口等が設けられている。本体枠２の左側枠部は後述する第１ヒンジ機構を介して機枠１に開閉自在に支持されており、本体枠２の自由端側である右側枠部（図２では左側）には施錠装置６が設置されている。この施錠装置６は、本体枠２の後方へ突出する後部施錠杆６ａと、本体枠２の前方へ突出する前部施錠杆（不図示）と、カム板を内蔵するシリンダ錠６ｂ等を備えており、シリンダ錠６ｂは本体枠２の前方へ突出して前面扉３から露出している。常態では、施錠装置６の後部施錠杆６ａによって本体枠２が機枠１に対して施錠されると共に、前部施錠杆によって前面扉３が本体枠２に対して施錠されている。そして、シリンダ錠６ｂの鍵穴に差し込んだ図示せぬキーを一方向（例えば時計回り）へ回転操作すると、カム板に押圧された後部施錠杆が下動して本体枠２が解錠され、シリンダ錠６ｂの鍵穴に差し込んだキーを他方向（反時計回り）へ回転操作すると、カム板に押圧された前部施錠杆が上動して前面扉３が解錠されるようになっている。
【００１３】
前面扉３の左側枠部の上下両端にはピン（不図示）が設けられており、これら両ピンを本体枠２の左側枠部に突設した上下の支持板（不図示）に軸支することによって、前面扉３を本体枠２に対して開閉自在に支持する第２ヒンジ機構が構成されている。前面扉３には遊技盤５の盤面に対向する大きな開口３ａが開設されており、この開口３ａは透明板４によって塞がれている。前面扉３の前面上部には比較的小型のスピーカ７が左右に１個ずつ配設されており、前面扉３の前面下部には上段受皿８と下段受皿９が上下２段に積層配置されている。上段受皿８には遊技盤５の裏面の賞球払出装置から払い出された遊技球が収容され、上段受皿８から排出された遊技球は下段受皿９に収容されるようになっている。さらに、上段受皿８の手前側には遊技者による押下操作が可能なプッシュ釦１０が設けられており、上段受皿８の右側方には遊技球の発射強度を調整するための操作ハンドル１１が配設されている。
【００１４】
機枠１は天板１ａと底板１ｂおよび左右の側板１ｃを縦長方形状に組み合わせた枠体であり（図５参照）、各板のコーナー部に補強具１２等を固定して全体の剛性が高められている。機枠１の両側板１ｃはレール状の支持体１３によって構成されており、図４に示すように、これら支持体１３には上下方向に延びる凹溝１３ａが形成されている。支持体１３は剛性の高い金属材や樹脂材等からなり、本実施形態例では押出成形されたアルミニウム材が使用されている。また、機枠１の天板１ａ左端部には上側軸受け体１４が取り付けられており、この上側軸受け体１４には解除レバー１５が付設されている。
【００１５】
機枠１の開口のうち下部領域は横長矩形状の幕板１６によって覆われており、この幕板１６は剛性の比較的高い樹脂材、あるいは、剛性の比較的高い金属材料、剛性の比較的高い木材によって成形されている。図３に示すように、幕板１６の左右両外側部には凸部１６ａが形成されており、これら凸部１６ａを対応する支持体１３の凹溝１３ａに挿入することにより、幕板１６は機枠１の両側板１ｃに上下方向へスライド可能に凹凸嵌合されている（図４参照）。また、幕板１６の上面左端部にはピン１７ａを有する下側軸受け体１７が取り付けられており、この下側軸受け体１７は天板１ａに取り付けられた上側軸受け体１４の鉛直方向の真下に位置している。そして、本体枠２の左側枠部の下端に設けられた軸孔（不図示）を下側軸受け体１７のピン１７ａに挿入すると共に、本体枠２の左側枠部の上端に設けられたピン（不図示）を上側軸受け体１４に軸支することによって、本体枠２を機枠１に対して開閉自在に支持する第１ヒンジ機構が構成されている。すなわち、本体枠２と前面扉３の下方に幕板１６の高さ相当分の空間が確保されており、この空間の上方を本体枠２や前面扉３が回動するようになっているため、ドル箱と呼ばれる収納ケースを幕板１６の前方に配置したまま本体枠２や前面扉３を開放動作することができる。ただし、上側軸受け体１４に付設された解除レバー１５を回動操作すると、本体枠２のピンが上側軸受け体１４の外方へ押し出されるように構成されているため、この状態で第１ヒンジ機構の結合を解除して本体枠２を機枠１から取り外せるようになっている。さらに、幕板１６の上面中央付近には金属製のガイド板１８が取り付けられており、このガイド板１８を摺動面として本体枠２が機枠１に対してスムーズに開閉動作されるようになっている。
【００１６】
このように構成されたパチンコ機Ｐを遊技場の島設備に設置する場合、予め総重量の大きな本体枠２と前面扉３を機枠１から取り外しておき、図５に示すように、この状態で幕板１６を左右の支持体１３に沿って機枠１の上方へスライド移動することにより、幕板１６と機枠１の底板１ｂとの間に大きくて広い作業空間Ｓを確保する。次いで、底板１ｂ上に図示せぬ水準器を載置して機枠１の左右方向の傾きが水平になるように水平調整を行い、さらに機枠１の前後方向の傾きが所定の後傾角度になるように傾斜調整を行った後、作業空間Ｓの最下に位置する底板１ｂをハンマで釘打ちして機枠１を島設備に固定する。これら姿勢調整や釘打ち作業は、底板１ｂの上方に確保された広い作業空間Ｓを利用して容易に行うことができる。その際、凹溝１３ａと凸部１６ａの凹凸嵌合力を利用して幕板１６を作業空間Ｓの上方位置に停止させておくことも可能であるが、着脱可能な保持具（不図示）を機枠１の側板１ｃ（支持体１３）等に取り付けて幕板１６の移動を阻止するようにしても良い。そして、かかる姿勢調整や釘打ち作業を行った後、幕板１６を支持体１３に沿って機枠１の下端位置までスライド移動し、この状態で本体枠２側のピンと軸孔（いずれも不図示）を機枠１側の上側軸受け体１４と下側軸受け体１７にヒンジ結合することにより、機枠１に対して本体枠２と前面扉３が組み込まれて図１に示すようなパチンコ機Ｐとなる。
【００１７】
図６は本発明の第２実施形態例に係るパチンコ機Ｐに備えられる機枠１の正面図であり、図５に対応する部分には同一符号を付してある。本実施形態例が前述した第１実施形態例と相違する点は、横長矩形状の幕板１６の代わりに大型のスピーカ１９を一体化した異形状の幕板２０を用いたことにあり、それ以外の構成は基本的に同様である。すなわち、幕板２０の上面一側部はスピーカ１９の形状に倣って上方へ膨出しており、この膨出部の上面に下側軸受け体１７が取り付けられている。そして、このような形状の幕板２０の左右両外側部に凸部（不図示）が形成されており、これら凸部を機枠１の側板１ｃである支持体１３の凹溝（不図示）に挿入することにより、幕板２０は機枠１に対して上下方向へスライド可能に凹凸嵌合されている。なお、本体枠２と前面扉３は図示省略されているが、これら本体枠２と前面扉３のヒンジ側の下端部には幕板２０の膨出部に対応する切り欠きが形成されており、この切り欠き内にスピーカ１９が露出するようになっている。
【００１８】
このように構成された第２実施形態例においても、機枠１を遊技場の島設備に固定する場合は、図７に示すように、本体枠２と前面扉３を機枠１から取り外した状態で幕板２０を左右の支持体１３に沿って機枠１の上方へスライド移動することにより、まず幕板２０と機枠１の底板１ｂとの間に大きくて広い作業空間Ｓを確保する。次いで、この広い作業空間Ｓを利用して機枠１の左右方向の傾きが水平になるように水平調整を行い、さらに機枠１の前後方向の傾きが所定の後傾角度になるように傾斜調整を行った後、作業空間Ｓの最下に位置する底板１ｂをハンマで釘打ちして機枠１を島設備に固定する。しかる後、幕板２０を支持体１３に沿って機枠１の下端位置までスライド移動し、この状態で本体枠２を機枠１側の上側軸受け体１４と下側軸受け体１７にヒンジ結合すれば、機枠１に対して本体枠２と前面扉３を組み込むことができる。
【００１９】
なお、上記した各実施形態例では、幕板１６（２０）の左右両外側部に形成した凸部１６ａを機枠１の両側板１ｃである支持体１３の凹溝１３ａに挿入することにより、幕板１６（２０）を機枠１に対してスライド可能に凹凸嵌合するようにしているが、これとは逆に、幕板１６（２０）の左右両外側部に形成した凹溝を機枠１の支持体１３に形成した凸部に凹凸嵌合するようにしても良い。
【符号の説明】
【００２０】
１  機枠
１ａ  天板
１ｂ  底板
１ｃ  側板
２  本体枠
３  前面扉
５  遊技盤
１３  支持体
１３ａ  凹溝
１４  上側軸受け体
１５  解除レバー
１６，２０  幕板
１６ａ  凸部
１７  下側軸受け体
１７ａ  ピン
１９  スピーカ
Ｓ  作業空間
Ｐ  パチンコ機
【図１】
2013103015.tif 000003
【図２】
2013103015.tif 000004
【図３】
2013103015.tif 000005
【図４】
2013103015.tif 000006
【図５】
2013103015.tif 000007
【図６】
2013103015.tif 000008
【図７】
2013103015.tif 000009